(57)【要約】      （修正有）【課題】複数の放射線医用画像診断装置の撮影動作を、限られた電源設備で管理できる装置を提供する。【解決手段】単一の電力管理系統内に配置された複数の放射線医用画像診断装置のうち、稼動中の第１の放射線医用画像診断装置に関する撮影条件のデータを記憶する記憶部１１と、複数の放射線医用画像診断装置のうち、第２の放射線医用画像診断装置から撮影開始要求と撮影条件に関する情報とを受信する受信部と、第１の放射線医用画像診断装置の撮影条件と第２の放射線医用画像診断装置の撮影条件とに基づいて、第１の放射線医用画像診断装置と第２の放射線医用画像診断装置との総電力を計算する計算部１２と、計算された総電力を、電力管理系統に対して規定されている最大許容電力に対して比較する比較部１３と、比較結果に基づいて、第２の放射線医用画像診断装置に対する撮影許可信号または撮影禁止信号を発生する信号発生部１４とを具備する。【選択図】図２
2014200318.tif 000002
【特許請求の範囲】
【請求項１】
単一の電力管理系統内に配置された複数の放射線医用画像診断装置のうち、稼動中の第１の放射線医用画像診断装置に関する撮影条件のデータを記憶する記憶部と、
前記複数の放射線医用画像診断装置のうち、第２の放射線医用画像診断装置から撮影開始要求と撮影条件に関する情報とを受信する受信部と、
前記第１の放射線医用画像診断装置の撮影条件と前記第２の放射線医用画像診断装置の撮影条件とに基づいて、前記第１の放射線医用画像診断装置と前記第２の放射線医用画像診断装置との総電力を計算する計算部と、
前記計算された総電力を、前記電力管理系統に対して規定されている最大許容電力に対して比較する比較部と、
前記比較結果に基づいて、前記第２の放射線医用画像診断装置に対する撮影許可信号または撮影禁止信号を発生する信号発生部と、
を具備することを特徴とする撮影管理装置。
【請求項２】
前記計算部は、複数のタイミングにそれぞれ対応する複数の総電力を計算し、
前記比較部は、前記計算された複数の総電力を、前記最大許容電力に対してそれぞれ比較することにより、前記複数のタイミングから、前記総電力が前記最大許容電力よりも小さくなるタイミングを特定し、
前記信号発生部は、前記タイミングで、前記第２の放射線医用画像診断装置に対する撮影許可信号を発生すること、
を特徴とする請求項１記載の撮影管理装置。
【請求項３】
前記計算部は、複数のタイミングにそれぞれ対応する複数の総電力を計算し、
前記比較部は、前記計算された複数の総電力を、前記最大許容電力に対してそれぞれ比較し、
前記信号発生部は、前記複数のタイミングにおいて、前記総電力が前記最大許容電力よりも小さくなるタイミングがない場合において、前記第２の放射線医用画像診断装置に対する撮影禁止信号を発生すること、
を特徴とする請求項１記載の撮影管理装置。
【請求項４】
前記信号発生部は、前記比較結果に基づいて、前記第２の放射線医用画像診断装置に対する撮影許可信号を発生するとともに、前記稼動中の第１の放射線医用画像診断装置の一放射線医用画像診断装置に対する条件変更信号を発生すること、
を特徴とする請求項１記載の撮影管理装置。
【請求項５】
前記一放射線医用画像診断装置の撮影条件から、前記総電力が前記最大許容電力を超えないための、前記一放射線医用画像診断装置に関する推奨撮影条件を発生する推奨撮影条件発生部と、
前記条件変更信号と前記推奨撮影条件のデータとを、前記一放射線医用画像診断装置に送信する送信部と、
をさらに具備することを特徴とする請求項４記載の撮影管理装置。
【請求項６】
前記信号発生部は、前記比較結果に基づいて、前記第２の放射線医用画像診断装置に対する撮影許可信号を発生するとともに、前記稼動中の第１の放射線医用画像診断装置の一放射線医用画像診断装置に対する撮影中断信号を発生すること、
を特徴とする請求項１記載の撮影管理装置。
【請求項７】
前記記憶部は、単一の電力管理系統内に配置された複数の放射線医用画像診断装置のうち、稼動中の第１の放射線医用画像診断装置に関する撮影条件のデータと前記複数の放射線医用画像診断装置各々に関する優先度のデータとを記憶し、
前記一放射線医用画像診断装置は、前記稼動中の第１の放射線医用画像診断装置のうち、前記第２の放射線医用画像診断装置よりも優先度の低い放射線医用画像診断装置であること、
を特徴とする請求項４または請求項６に記載の撮影管理装置。
【請求項８】
前記一放射線医用画像診断装置は、前記稼動中の第１の放射線医用画像診断装置のうち、前記第２の放射線医用画像診断装置の撮影タイミングと重なるタイミングで撮影予定の放射線医用画像診断装置であること、
を特徴とする請求項４または請求項６に記載の撮影管理装置。
【請求項９】
単一の電力管理系統内に配置された複数の放射線医用画像診断装置のうち、稼動中の第１の放射線医用画像診断装置に関する撮影条件のデータを記憶する記憶部と、
前記複数の放射線医用画像診断装置のうち、第２の放射線医用画像診断装置から撮影開始要求と撮影条件に関する情報とを受信する受信部と、
前記第１の放射線医用画像診断装置と前記第２の放射線医用画像診断装置との撮影条件に基づいて、前記第１の放射線医用画像診断装置と前記第２の放射線医用画像診断装置との総電力を計算する計算部と、
前記計算された総電力を、前記電力管理系統に対して規定されている最大許容電力に対して比較する比較部と、
前記比較結果に基づいて、前記第２の放射線医用画像診断装置の撮影条件から、前記総電力が前記最大許容電力を超えないための、前記第２の放射線医用画像診断装置に関する推奨撮影条件を発生する推奨撮影条件発生部と、
を具備することを特徴とする撮影管理装置。
【請求項１０】
前記推奨撮影条件の管電圧は、前記第２の放射線医用画像診断装置の初期撮影条件の管電圧よりも低いこと、
を特徴とする請求項９記載の撮影管理装置。
【請求項１１】
前記推奨撮影条件の管電流は、前記第２の放射線医用画像診断装置の初期撮影条件の管電流よりも小さいこと、
を特徴とする請求項９記載の撮影管理装置。
【請求項１２】
前記推奨撮影条件の照射時間は、前記第２の放射線医用画像診断装置の初期撮影条件の照射時間よりも短いこと、
を特徴とする請求項９記載の撮影管理装置。
【請求項１３】
Ｘ線を発生するＸ線発生部と、
前記Ｘ線発生部から発生され、被検体を透過したＸ線を検出するＸ線検出部と、
前記Ｘ線発生部に高電圧を印加するための高電圧を発生する高電圧発生部と、
単一の電力管理系統内に配置された複数の放射線医用画像診断装置のうち、稼動中の放射線医用画像診断装置に関する撮影条件のデータを記憶する記憶部と、
前記Ｘ線の撮影条件をユーザの指示に従って設定する撮影条件設定部と、
前記稼動中の放射線医用画像診断装置に関する撮影条件と前記設定された撮影条件とに基づいて、総電力を計算する計算部と、
前記計算された総電力を、前記電力管理系統に対して規定されている最大許容電力に対して比較する比較部と、
前記比較結果に基づいて、前記高電圧発生部を制御する制御部と、
を具備することを特徴とする放射線医用画像診断装置。
【請求項１４】
前記計算部は、前記ユーザにより、撮影開始の指示が入力された時に、前記総電力を計算すること、
を特徴とする請求項１３記載の放射線医用画像診断装置。
【請求項１５】
前記計算部は、前記撮影条件設定部により撮影条件が設定される前に、前記総電力を計算すること、
を特徴とする請求項１３記載の放射線医用画像診断装置。
【請求項１６】
前記制御部は、
前記比較結果で、前記総電力が前記最大許容電力よりも大きくなる場合に、前記高電圧発生部に対して撮影禁止信号を送信し、
前記比較結果で、前記総電力が前記最大許容電力よりも小さくなる場合に、前記高電圧発生部に対して撮影許可信号を送信すること、
を特徴とする請求項１３記載の放射線医用画像診断装置。
【請求項１７】
前記比較結果で、前記総電力が前記最大許容電力よりも大きくなる場合に、前記設定された撮影条件から、前記総電力が前記最大許容電力を超えないための、推奨撮影条件を発生する推奨撮影条件発生部をさらに具備し、
前記制御部は、前記推奨撮影条件に基づいて、前記高電圧発生部を制御すること、
を特徴とする請求項１３記載の放射線医用画像診断装置。
【請求項１８】
前記比較結果で、前記総電力が前記最大許容電力よりも大きくなる場合に、前記設定された撮影条件から、前記総電力が前記最大許容電力を超えないための、推奨撮影条件を発生する推奨撮影条件発生部をさらに具備し、
前記制御部は、前記ユーザにより前記推奨撮影条件の受け入れが許可された場合に、前記推奨撮影条件に基づいて、前記高電圧発生部を制御すること、
を特徴とする請求項１３記載の放射線医用画像診断装置。
【請求項１９】
前記Ｘ線検出部の出力に基づいて、前記被検体に関するＸ線画像を発生する画像発生部と、
前記ユーザの指示に従って設定された初期撮影条件に含まれる少なくとも１つのパラメータと前記推奨撮影条件発生部により発生された推奨撮影条件に含まれる前記少なくとも１つのパラメータとの間の差分に基づいて、前記Ｘ線画像に対する画像処理を実行する画像処理部と、
をさらに具備することを特徴とする請求項１７または請求項１８に記載の放射線医用画像診断装置。
【発明の詳細な説明】
【技術分野】
【０００１】
本発明の実施形態は、撮影管理装置及びその機能を備える放射線医用画像診断装置に関する。
【背景技術】
【０００２】
Ｘ線ＣＴ（Ｃｏｍｐｕｔｅｄ  Ｔｏｍｏｇｒａｐｈｙ）装置やＸ線診断装置等の放射線医用画像診断装置は、被検体を透過したＸ線強度に基づいて、被検体の医用情報を画像で提供する装置であり、診断や治療などの医療行為において、重要な役割を果たしている。
【０００３】
放射線医用画像診断装置は、Ｘ線を照射する時（特に撮影時）に大きな電力を消費する。そのため、複数の放射線医用画像診断装置を有する病院等は、複数の放射線医用画像診断装置が同時にＸ線を照射しても電源が落ちないように、複数の放射線医用画像診断装置各々の電力量の総和を満たす電源設備を導入するか、または、複数の放射線医用画像診断装置が同時にＸ線を照射しないように、一放射線医用画像診断装置が撮影している時は、他の放射線医用画像診断装置では撮影できないようにするための制御が必要である。
【０００４】
しかし、前者の場合、電源設備が大型化し、コストが多くかかってしまう問題がある。また、後者の場合、一放射線医用画像診断装置において連続撮影等で撮影が長引いてしまったときに、他の放射線医用画像診断装置による撮影が大幅に遅れてしまうという問題がある。
【発明の概要】
【発明が解決しようとする課題】
【０００５】
目的は、複数の放射線医用画像診断装置を備える病院等において、大型の電源設備を導入することが必須ではなく、かつ従来と同等以上の効率でＸ線撮影を実行できる放射線医用画像診断装置及び大型の電源設備を導入することが必須ではなく、複数の放射線医用画像診断装置で撮影が実施できるために、複数の放射線医用画像診断装置の撮影動作を管理できる撮影管理装置を提供することにある。
【課題を解決するための手段】
【０００６】
本実施形態による撮影管理装置は、単一の電力管理系統内に配置された複数の放射線医用画像診断装置のうち、稼動中の第１の放射線医用画像診断装置に関する撮影条件のデータを記憶する記憶部と、前記複数の放射線医用画像診断装置のうち、第２の放射線医用画像診断装置から撮影開始要求と撮影条件に関する情報とを受信する受信部と、前記第１の放射線医用画像診断装置の撮影条件と前記第２の放射線医用画像診断装置の撮影条件とに基づいて、前記第１の放射線医用画像診断装置と前記第２の放射線医用画像診断装置との総電力を計算する計算部と、前記計算された総電力を、前記電力管理系統に対して規定されている最大許容電力に対して比較する比較部と、前記比較結果に基づいて、前記第２の放射線医用画像診断装置に対する撮影許可信号または撮影禁止信号を発生する信号発生部と、を具備することを特徴とする。
【図面の簡単な説明】
【０００７】
【図１】図１は、第１実施形態に係る撮影管理装置を含むシステムの一構成例を示す図である。
【図２】図２は、第１実施形態に係る撮影管理装置の構成を示すブロック図である。
【図３】図３は、第１実施形態に係る撮影管理装置の撮影タイミング特定処理を説明するための第１の説明図である。
【図４】図４は、第１実施形態に係る撮影管理装置の撮影タイミング特定処理を説明するための第２の説明図である。
【図５】図５は、第１の実施形態に係る撮影管理装置の自動判定処理を含めた一連の処理の一例を示すフローチャート図である。
【図６】図６は、第２実施形態に係る撮影管理装置の構成を示すブロック図である。
【図７】図７は、第２実施形態に係る撮影管理装置の推奨撮影条件発生部による推奨撮影条件の発生方法を説明するための説明図である。
【図８】図８は、第２実施形態に係る撮影管理装置の一連の処理の一例を示すフローチャート図である。
【図９】図９は、第２実施形態の変形例に係る撮影管理装置の推奨撮影条件発生部による処理を説明するための説明図である。
【図１０】図１０は、第２実施形態の変形例に係る撮影管理装置の一連の処理の一例を示すフローチャート図である。
【図１１】図１１は、第３実施形態に係るＸ線診断装置の構成を示すブロック図である。
【図１２】図１２は、第３実施形態に係るＸ線診断装置の一連の処理の一例を示すフローチャート図である。
【図１３】図１３は、第４実施形態に係るＸ線ＣＴ装置の構成を示すブロック図である。
【発明を実施するための形態】
【０００８】
以下、図面を参照しながら第１及び第２実施形態に係る撮影管理装置を説明する。なお、以下の説明において、略同一の機能及び構成を有する構成要素については、同一符号を付し、重複説明は必要な場合にのみ行う。
【０００９】
（第１実施形態）  
図１は、第１実施形態に係る撮影管理装置を含むシステムの一構成例を示す図である。図１に示すように、第１実施形態に係る撮影管理装置（以下、単に第１撮影管理装置と呼ぶ）は、放射線医用画像診断装置Ａ及び放射線医用画像診断装置Ｂと、ＬＡＮ（Ｌｏｃａｌ  Ａｒｅａ  Ｎｅｔｗｏｒｋ）や公衆電子通信回線等のネットワークを介して接続されている。放射線医用画像診断装置Ａ及び放射線医用画像診断装置Ｂは、Ｘ線診断装置やＸ線ＣＴ（Ｃｏｍｐｕｔｅｄ  Ｔｏｍｏｇｒａｐｈｙ）装置等の放射線医用画像診断装置である。第１撮影管理装置、放射線医用画像診断装置Ａ、及び放射線医用画像診断装置Ｂは、単一の電力管理系統内に配置されている。単一の電力管理系統内に配置された複数の放射線医用画像診断装置各々の駆動電力は、共通の電源設備から供給される。第１撮影管理装置は、単一の電力管理系統内で規定されている最大電力（以下、最大許容電力と呼ぶ）を超えないように、複数の放射線医用画像診断装置各々による撮影動作を管理する。
【００１０】
図２は、第１実施形態に係る撮影管理装置の構成を示すブロック図である。  
図２に示すように、第１撮影管理装置は、通信インターフェース部１０と、記憶部１１と、計算部１２と、比較部１３と、信号発生部１４と、システム制御部１５とを有する。
【００１１】
通信インターフェース部１０は、第１撮影管理装置が通信端局、ＬＡＮ、及びインターネット等に接続されるためのインターフェースアダプターを有する。通信インターフェース部１０は、第１撮影管理装置がネットワークを介して、複数の放射線医用画像診断装置と相互にデータ通信を行うための外部インターフェースである。通信インターフェース部１０は、後述のシステム制御部１５の制御に従って、ネットワークに接続されている複数の放射線医用画像診断装置各々へのデータの送信処理及び複数の放射線医用画像診断装置各々からのデータの受信処理を実行する。具体的には、通信インターフェース部１０は、システム制御部１５の制御に従って、単一の電力管理系統内に配置された複数の放射線医用画像診断装置から、撮影開始要求と撮影条件に関する情報とを受信する。また、通信インターフェース部１０は、システム制御部１５の制御に従って、撮影開始要求先の放射線医用画像診断装置に、後述の信号発生部１４で発生された信号を送信する。
【００１２】
記憶部１１は、半導体記憶素子であるＦｌａｓｈ  ＳＳＤ（Ｓｏｌｉｄ  Ｓｔａｔｅ  Ｄｉｓｋ）などの半導体記憶装置及びＨＤＤ（Ｈａｒｄ  Ｄｉｓｋ  Ｄｒｉｖｅ）等である。記憶部１１は、システム制御部１５による制御に従って、単一の電力管理系統内に配置された複数の放射線医用画像診断装置のうち、稼動中の放射線医用画像診断装置に関する撮影条件のデータを記憶する。撮影条件とは、管電圧、管電流、照射間隔、及び照射時間等である。また、記憶部１１は、第１撮影管理装置が撮影動作を管理する単一の電力管理系統で規定されている最大許容電力のデータを記憶する。
【００１３】
計算部１２は、撮影開始要求先の放射線医用画像診断装置に関する撮影条件と、稼動中の放射線医用画像診断装置に関する撮影条件とに基づいて、撮影開始要求先の放射線医用画像診断装置と稼動中の放射線医用画像診断装置との総電力を計算する。
【００１４】
比較部１３は、計算部１２で計算された総電力を、最大許容電力に対して比較する。そして、比較部１３は比較結果を信号発生部１４に送信する。
【００１５】
（撮影タイミング特定機能）  
撮影タイミング特定機能は、計算部１２及び比較部１３により、撮影開始要求先の放射線医用画像診断装置の撮影タイミングを特定する機能である。撮影タイミング特定機能に係る処理（以下、撮影タイミング特定処理）は、計算部１２で計算された総電力が最大許容電力を超える場合に自動的に実行される。つまり、撮影タイミング特定処理は、撮影開始要求先の放射線医用画像診断装置が稼動した場合でも、総電力が最大許容電力を超えないための、撮影開始要求先の放射線医用画像診断装置の撮影タイミングを特定する機能である。撮影タイミング特定処理について、図３と図４とを参照して説明する。
【００１６】
図３は、第１実施形態に係る撮影管理装置の撮影タイミング特定処理を説明するための第１の説明図である。  
図３（ａ）は、撮影開始要求先の放射線医用画像診断装置Ａの撮影タイミングが時刻ｔ０の場合における撮影開始要求先の放射線医用画像診断装置Ａの使用電力に関するタイムラインを示した図である。撮影開始要求先の放射線医用画像診断装置Ａの使用電力がＰＡ１、照射時間がＴＡ１、撮影間隔がＴＡ２とする。  
図３（ｂ）は、時刻ｔ１における、稼動中の放射線医用画像診断装置Ｂの使用電力に関するタイムラインを示した図である。稼動中の放射線医用画像診断装置Ｂの使用電力がＰＢ１、照射時間がＴＢ１、撮影間隔がＴＢ２とする。  
図３（ｃ）は、撮影要求先の放射線医用画像診断装置Ａの撮影タイミングが時刻ｔ１の場合における総電力に関するタイムラインを示した図である。  
図３（ｄ）は、撮影要求先の放射線医用画像診断装置Ａの撮影タイミングが時刻ｔ２の場合における総電力に関するタイムラインを示した図である。なお、最大許容電力をＰＭＡＸとする。稼動中の放射線医用画像診断装置Ｂの使用電力ＰＢ１に対して、撮影開始要求先の放射線医用画像診断装置Ａの使用電力ＰＡ１を加算すると、最大許容電力ＰＭＡＸよりも大きくなるものとする。
【００１７】
計算部１２は、時刻ｔ１に放射線医用画像診断装置Ａから撮影開始要求と撮影条件に関する情報とを受信すると、時刻ｔ１における稼動中の放射線医用画像診断装置の使用電力に関するタイムライン（図３（ｂ））を参照する。そして、計算部１２は、時刻ｔ１に放射線医用画像診断装置Ａが稼動した場合の総電力を計算する。図３（ｃ）に示すように、時刻ｔ１に放射線医用画像診断装置Ａが稼動した場合、総電力が最大許容電力を超えてしまう。そのため、計算部１２は、複数の撮影タイミングにそれぞれ対応する複数の総電力を計算する。そして、比較部１３は、計算部１２により計算された複数の総電力をそれぞれ最大許容電力に対して比較することにより、複数の撮影タイミングから、総電力が最大許容電力よりも小さくなる撮影タイミングを特定する。
【００１８】
具体的には、図３（ｄ）に示すように、放射線医用画像診断装置Ａの撮影タイミングが時刻ｔ２において、総電力が最大許容電力よりも小さくなる。したがって、計算部１２及び比較部１３の撮影タイミング特定処理により、撮影開始要求先の放射線医用画像診断装置Ａの撮影タイミングが時刻ｔ２に特定される。そして、比較部１３から信号発生部１４に、撮影タイミングｔ２で撮影できる旨を通知する信号が出力される。
【００１９】
上述のように、稼動中の放射線医用画像診断装置Ｂの撮影間隔ＴＢ２よりも、撮影開始要求先の放射線医用画像診断装置Ａの照射時間ＴＡ１が狭い場合、稼動中の放射線医用画像診断装置Ｂの撮影間隔の中で、撮影開始要求先の放射線医用画像診断装置Ａの撮影が実行されることで、総電力が最大許容電力を超えない可能性がある。
【００２０】
図４は、第１実施形態に係る撮影管理装置の撮影タイミング特定処理を説明するための第２の説明図である。  
図４（ａ）は、撮影開始要求先の放射線医用画像診断装置Ｃの撮影タイミングが時刻ｔ３の場合における撮影開始要求先の放射線医用画像診断装置Ｃの使用電力に関するタイムラインを示した図である。撮影開始要求先の放射線医用画像診断装置Ｃの使用電力がＰＣ１、照射時間がＴＣ１、撮影間隔がＴＣ２とする。  
図４（ｂ）は、時刻ｔ４における、稼動中の放射線医用画像診断装置Ｄの使用電力に関するタイムラインを示した図である。稼動中の放射線医用画像診断装置Ｄの使用電力がＰＤ１、照射時間がＴＤ１、撮影間隔がＴＤ２とする。  
図４（ｃ）は、撮影要求先の放射線医用画像診断装置Ａの撮影タイミングが時刻ｔ３の場合における総電力に関するタイムラインを示した図である。なお、最大許容電力をＰＭＡＸとする。稼動中の放射線医用画像診断装置Ｄの使用電力ＰＤ１に対して、撮影開始要求先の放射線医用画像診断装置Ｃの使用電力ＰＣ１を加算すると、最大許容電力ＰＭＡＸよりも大きくなるものとする。
【００２１】
計算部１２は、時刻ｔ４に放射線医用画像診断装置Ｃから撮影開始要求と撮影条件に関する情報とを受信すると、時刻ｔ４における稼動中の放射線医用画像診断装置の使用電力に関するタイムライン（図４（ｂ））を参照する。そして、計算部１２は、時刻ｔ４に放射線医用画像診断装置Ｃが稼動した場合の総電力を計算する。図３（ｃ）に示すように、時刻ｔ１に放射線医用画像診断装置Ａが稼動した場合、総電力が最大許容電力を超えてしまう。そのため、計算部１２は、複数の撮影タイミングにそれぞれ対応する複数の総電力を計算する。そして、比較部１３は、計算部１２により計算された複数の総電力をそれぞれ最大許容電力に対して比較することにより、複数の撮影タイミングから、総電力が最大許容電力よりも小さくなる撮影タイミングを特定する。
【００２２】
しかし、図４（ａ）乃至図４（ｃ）に示すように、例えば、稼動中の放射線医用画像診断装置Ｄの撮影間隔ＴＤ２よりも、撮影開始要求先の放射線医用画像診断装置Ｃの照射時間ＴＣ１が広い。そのため、図３の例のように、稼動中の放射線医用画像診断装置Ｄの撮影間隔ＴＤ２の中で、撮影開始要求先の放射線医用画像診断装置Ｃによる撮影が実行できない。したがって、計算部１２及び比較部１３は、撮影タイミングを、少なくとも稼動中の放射線医用画像診断装置Ｄの撮影が終了するまで特定することはできない。そして、稼動中の放射線医用画像診断装置Ｄの撮影が、所定の時間内で終了されない場合（つまり、撮影開始要求を受信してから、所定の時間内で撮影タイミングを特定できない場合）は、比較部１３から信号発生部１４に撮影できない旨を通知する信号が出力される。
【００２３】
信号発生部１４は、比較部１３から送信された比較結果に基づいて、撮影開始要求先の放射線医用画像診断装置に対する撮影許可信号または撮影禁止信号を発生する。そして、発生された信号は、通信インターフェース部１０を介して、撮影開始要求先の放射線医用画像診断装置に送信される。
【００２４】
システム制御部１５は、ＣＰＵ（Ｃｅｎｔｒａｌ  Ｐｒｏｃｅｓｓｉｎｇ  Ｕｎｉｔ）とメモリ回路等を有する。システム制御部１５は、通信インターフェース部１０を介して、第１撮影管理装置に入力された情報を、一時的にメモリ回路に記憶する。システム制御部１５は、入力された情報に基づいて第１撮影管理装置の各部を制御する。
【００２５】
（自動判定機能）  
自動判定機能は、撮影開始要求先の放射線医用画像診断装置に関する撮影条件と稼動中の放射線医用画像診断装置に関する撮影条件とに基づいて、第１撮影管理装置が、撮影開始要求先の放射線医用画像診断装置による撮影動作の許可または禁止を自動的に判定する機能である。自動判定機能に係る処理（以下、自動判定処理と呼ぶ）について、図５を参照して説明する。
【００２６】
図５は、第１の実施形態に係る撮影管理装置の自動判定処理を含めた一連の処理の一例を示すフローチャート図である。なお、記憶部１１には、単一の電力管理系統内の稼動中の放射線医用画像診断装置に関する撮影条件のデータが記憶されているものとする。また、記憶部１１には、単一の電力管理系統に対して規定されている最大許容電力に関するデータが記憶されているものとする。
【００２７】
（ステップＳ１１）  
通信インターフェース部１０により、単一の電力管理系統内の複数の放射線医用画像診断装置のうち、一放射線医用画像診断装置から撮影開始要求と撮影条件に関する情報とが受信される。
【００２８】
（ステップＳ１２）  
システム制御部１５により、記憶部１１に記憶されている単一の電力管理系統内の稼動中の放射線医用画像診断装置に関する撮影条件のデータが読み出され、計算部１２に出力される。計算部１２により、稼動中の放射線医用画像診断装置に関する撮影条件のデータと撮影開始要求先の放射線医用画像診断装置に関する撮影条件のデータとに基づいて、最大総電力が計算される。
【００２９】
（ステップＳ１３）  
システム制御部１５により、記憶部１１に記憶されている最大許容電力に関するデータが読み出され、比較部１３に出力される。比較部１３により、計算部１２により計算された総電力が最大許容電力に対して比較される。総電力が最大許容電力を超えない場合は、ステップＳ１７に処理が移行される。総電力が最大許容電力を超える場合は、ステップＳ１４に処理が移行される。
【００３０】
（ステップＳ１４）  
計算部１２及び比較部１３により、撮影タイミング特定処理が実行される。
【００３１】
（ステップＳ１５）  
撮影タイミング特定処理の結果、所定の時間内で、撮影タイミングを特定されなかった場合は、ステップＳ１６に処理が移行される。撮影開始要求を受信した後、所定の期間内で、撮影タイミングが特定された場合は、撮影タイミングの情報が比較部１３から信号発生部１４に出力され、ステップＳ１７に処理が移行される。
【００３２】
（ステップＳ１６）  
信号発生部１４により、撮影禁止信号が発生される。発生された撮影禁止信号は、通信インターフェース部１０を介して、撮影開始要求先の放射線医用画像診断装置に送信される。
【００３３】
（ステップＳ１７）  
信号発生部１４により、撮影許可信号が発生される。なお、ステップＳ１５の処理において、比較部１３から撮影タイミングの情報が入力された場合において、信号発生部１４により、撮影開始要求先の放射線医用画像診断装置による撮影が、撮影タイミング特定処理により特定された撮影タイミングで開始されるタイミングで撮影許可信号が発生される。発生された撮影許可信号は、通信インターフェース部１０を介して、撮影開始要求先の放射線医用画像診断装置に送信される。
【００３４】
以上に述べた自動判定機能を備える第１実施形態に係る撮影管理装置によれば、以下のような効果を得ることができる。  
自動判定機能を備える第１実施形態に係る撮影管理装置は、単一の電力管理系統内に配置された複数の放射線医用画像診断装置の一放射線医用画像診断装置から、撮影開始要求と撮影条件に関する情報とを受信したのを契機に、撮影開始要求先の放射線医用画像診断装置の撮影条件と、稼動中の放射線医用画像診断装置の撮影条件とに基づいて、総電力を計算する。そして、計算した総電力を最大許容電力に対して比較した結果に基づいて、撮影開始要求先の放射線医用画像診断装置に撮影許可信号または撮影禁止信号を送信することができる。具体的には、第１実施形態に係る撮影管理装置は、撮影開始要求時に対応する総電力が最大許容電力を超える場合において、撮影タイミング特定処理を実行する。撮影タイミング特定処理により、複数の撮影タイミングにそれぞれ対応する複数の総電力が計算される。そして、計算された複数の総電力をそれぞれ最大許容電力に対して比較することにより、総電力が最大許容電力を超えないための、撮影開始要求先の放射線医用画像診断装置の撮影タイミングを特定することができる。特定される撮影タイミングは、例えば、稼動中の放射線医用画像診断装置の撮影間隔の中で、撮影開始要求先の放射線医用画像診断装置による撮影が実行されるタイミングである。撮影タイミングが所定の時間内で特定された場合において、第１実施形態に係る撮影管理装置は、撮影開始要求先の放射線医用画像診断装置に対して、特定した撮影タイミングで撮影許可信号を送信する。一方、撮影タイミングが所定の時間内で特定されなかった場合において、第１実施形態に係る撮影管理装置は、撮影開始要求先の放射線医用画像診断装置に対して、撮影禁止信号を送信する。
【００３５】
したがって、第１実施形態に係る撮影管理装置によれば、複数の放射線医用画像診断装置を備える病院等において、大型の電源設備を導入することが必須ではなく、かつ従来と同等以上の効率で、複数の放射線医用画像診断装置で撮影が実施できるために、複数の放射線医用画像診断装置の撮影動作を管理することができる。
【００３６】
（第２実施形態）  
第１実施形態に係る撮影管理装置は、総電力が最大許容電力を超えないための、撮影開始要求先の放射線医用画像診断装置の撮影タイミングを特定していた。一方、第２実施形態に係る撮影管理装置は、総電力が最大許容電力を超えないための、撮影開始要求先の放射線医用画像診断装置に対する推奨撮影条件を発生する。以下、第１実施形態との差分について図を参照して説明する。  
図６は、第２実施形態に係る撮影管理装置の構成を示すブロック図である。図６に示すように、第２実施形態に係る撮影管理装置（以下、第２撮影管理装置と呼ぶ）は、通信インターフェース部１０と、記憶部１１と、計算部１２と、比較部１３と、信号発生部１４と、システム制御部１５と、推奨撮影条件発生部１６とを有する。
【００３７】
推奨撮影条件発生部１６は、総電力が最大許容電力を超えないための、撮影開始要求先の放射線医用画像診断装置の推奨撮影条件を発生する。推奨撮影条件発生部１６による処理は、撮影開始要求先の放射線医用画像診断装置の撮影タイミングをずらしても、総電力が最大許容電力を超えてしまう場合において実行される。推奨条件発生部は、撮影開始要求先の放射線医用画像診断装置から送信された撮影条件（以下、初期撮影条件と呼ぶ）と記憶部１１に記憶されている稼動中の放射線医用画像診断装置に関する撮影条件と基づいて、推奨撮影条件を発生する。推奨撮影条件発生部１６による、推奨撮影条件の発生方法について図７を参照して説明する。
【００３８】
図７は、第２実施形態に係る撮影管理装置の推奨撮影条件発生部１６による推奨撮影条件の発生方法を説明するための説明図である。  
図７（ａ）は、初期撮影条件に基づいて計算された撮影開始要求先の放射線医用画像診断装置Ｅの使用電力に関するタイムラインを示した図である。初期撮影条件において、撮影開始要求先の放射線医用画像診断装置Ｅの使用電力はＰＥ１、照射時間はＴＥ１、撮影間隔はＴＥ２である。
【００３９】
図７（ｂ）は、第１推奨撮影条件に基づいて計算された放射線医用画像診断装置Ｅの使用電力に関するタイムラインを示した図である。第１推奨撮影条件において、撮影開始要求先の放射線医用画像診断装置Ｅの使用電力はＰＦ１、照射時間はＴＥ１、撮影間隔はＴＥ２である。推奨撮影条件発生部１６は、撮影開始要求先の放射線医用画像診断装置Ｅが稼動した場合の使用電力を下げるために、初期撮影条件に基づいて、第１推奨撮影条件を発生する。具体的には、推奨撮影条件発生部１６は、初期撮影条件に含まれる複数のパラメータのうち、管電圧及び管電流の少なくとも一方の値を下げた第１推奨撮影条件を発生する。したがって、図７（ｂ）に示すように、第１推奨撮影条件に基づいて計算された使用電力ＰＦ１は、初期撮影条件に基づいて計算された使用電力ＰＥ１よりも低くなる。図７（ｂ）のように、使用電力を下げることで、撮影開始要求先の放射線医用画像診断装置による撮影が、稼動中の放射線医用画像診断装置の撮影と重なった場合においても、総電力が最大許容電力を超えないようにすることができる。
【００４０】
図７（ｃ）は、第２推奨撮影条件に基づいて計算された撮影開始要求先の放射線医用画像診断装置Ｅの使用電力に関するタイムラインを示した図である。第２推奨撮影条件において、撮影開始要求先の放射線医用画像診断装置Ｅの使用電力はＰＥ１、照射時間はＴＧ１、撮影間隔はＴＧ２である。推奨撮影条件発生部１６は、撮影開始要求先の放射線医用画像診断装置Ｅが稼動した場合の、照射時間を短くするため、または、撮影間隔を広げるために、初期撮影条件に基づいて、第２推奨撮影条件を発生する。具体的には、推奨撮影条件発生部１６は、初期撮影条件に含まれる複数のパラメータのうち、撮影間隔を広げた第２推奨撮影条件を発生する。したがって、図７（ｃ）に示すように、第２推奨撮影条件に基づいて計算された撮影間隔ＴＧ２は、初期撮影条件に基づいて計算された撮影間隔ＴＥ２よりも長くなる。また、撮影間隔が広がるに伴い、第２推奨撮影条件に基づいて計算された照射時間ＴＧ１は、初期撮影条件に基づいて計算された照射時間ＴＥ１よりも短くなる。図７（ｃ）に示すように、照射時間や撮影間隔を変更することにより、稼動中の放射線医用画像診断装置の撮影間隔の中で、撮影開始要求先の放射線医用画像診断装置による撮影を実行することができる。
【００４１】
図７（ｄ）は、第３推奨撮影条件に基づいて計算された撮影開始要求先の放射線医用画像診断装置Ｅの使用電力に関するタイムラインを示した図である。第３推奨撮影条件において、撮影開始要求先の放射線医用画像診断装置Ｅの使用電力はＰＨ１、照射時間はＴＨ１、撮影間隔はＴＨ２である。推奨撮影条件発生部１６は、撮影開始要求先の放射線医用画像診断装置Ｅが稼動した場合の、照射時間を短くするため、または、撮影間隔を広げるために、初期撮影条件に基づいて、第２推奨撮影条件を発生する。しかしながら、照射時間を短くすると、照射時間が長い時に比べて、Ｘ線画像の画質が劣化する。そのため、照射時間を短くした分、管電圧及び管電流の少なくとも一方の値を大きくすることで、その劣化を抑えることができる。そのため、推奨撮影条件発生部１６は、初期撮影条件に含まれる複数のパラメータのうち、管電圧及び管電流の少なくとも一方の値を上げ、撮影時間を短くした第４推奨撮影条件を発生する。図７（ｄ）に示すように、第４推奨撮影条件に基づいて計算された使用電力ＰＨ１は、初期撮影条件に基づいて計算された使用電力ＰＥ１よりも大きくなる。また、第４推奨撮影条件に基づいて計算された撮影間隔ＴＨ２は、初期撮影条件に基づいて計算された撮影間隔ＴＥ２よりも長くなる。また、撮影間隔が広がるに伴い、第４推奨撮影条件に基づいて計算された照射時間ＴＨ１は、初期撮影条件に基づいて計算された照射時間ＴＥ１よりも短くなる。図７（ｄ）に示すように、照射時間や撮影間隔を変更することにより、稼動中の放射線医用画像診断装置の撮影間隔の中で、撮影開始要求先の放射線医用画像診断装置による撮影を実行することができ、使用電力を上げることで、照射時間を短くしたことによる画質劣化を抑えることができる。
【００４２】
なお、図７（ｂ）乃至図７（ｄ）で示した推奨撮影条件の例では、撮影開始要求先の放射線医用画像診断装置による複数回のパルス撮影のうち、全ての撮影に使用電力を下げるための条件及び照射時間を短くするための条件等を適用している。しかしながら、複数回の撮影のうち、一部分の撮影に対して、これらの条件を適用してもよい。例えば、図７（ｅ）に示すように、推奨撮影条件発生部１６は、撮影開始要求先の放射線医用画像診断装置Ｅが稼動した場合の一部分の撮影に対応する使用電力を下げるために、初期撮影条件に基づいて、推奨撮影条件を発生してもよい。
【００４３】
図８は、第２実施形態に係る撮影管理装置の一連の処理の一例を示すフローチャート図である。なお、記憶部１１には、単一の電力管理系統内の稼動中の放射線医用画像診断装置に関する撮影条件のデータが記憶されているものとする。また、記憶部１１には、単一の電力管理系統に対して規定されている最大許容電力に関するデータが記憶されているものとする。
【００４４】
（ステップＳ２１）  
通信インターフェース部１０により、単一の電力管理系統内に配置されている複数の放射線医用画像診断装置のうち、一放射線医用画像診断装置から撮影開始要求と撮影条件に関する情報とが受信される。
【００４５】
（ステップＳ２２）  
システム制御部１５により、記憶部１１に記憶されている稼動中の放射線医用画像診断装置に関する撮影条件のデータが読み出され、計算部１２に送信される。計算部１２により、稼動中の放射線医用画像診断装置に関する撮影条件のデータと撮影開始要求先の放射線医用画像診断装置に関する撮影条件のデータとに基づいて、総電力が計算される。
【００４６】
（ステップＳ２３）  
システム制御部１５により、記憶部１１に記憶されている最大許容電力に関するデータが読み出され、比較部１３に送信される。比較部１３により、計算部１２により計算された総電力が最大許容電力に対して比較される。総電力が最大許容電力を超えない場合は、ステップＳ２７に処理が移行される。総電力が最大許容電力を超える場合は、ステップＳ２４に処理が移行される。
【００４７】
（ステップＳ２４）  
計算部１２及び比較部１３により、撮影タイミング特定処理が実行される。
【００４８】
（ステップＳ２５）  
撮影タイミング特定処理の結果、撮影開始要求を受信した後、所定の時間内で、撮影タイミングを特定されなかった場合は、ステップＳ２６に処理が移行される。所定の期間内で、撮影タイミングが特定された場合は、撮影タイミングの情報が比較部１３から信号発生部１４に出力され、ステップＳ２７に処理が移行される。
【００４９】
（ステップＳ２６）  
推奨撮影条件発生部１６により、撮影開始要求先の放射線医用画像診断装置に関する推奨撮影条件が発生される。発生された推奨撮影条件のデータは、通信インターフェース部１０を介して、撮影開始要求先の放射線医用画像診断装置に送信される。
【００５０】
（ステップＳ２７）  
信号発生部１４により、撮影許可信号が発生される。なお、ステップＳ２５の処理において、比較部１３から撮影タイミングの情報が入力された場合において、信号発生部１４により、撮影開始要求先の放射線医用画像診断装置による撮影が、撮影タイミング特定処理により特定された撮影タイミングで開始されるタイミングで撮影許可信号が発生される。発生された撮影許可信号は、通信インターフェース部１０を介して、撮影開始要求先の放射線医用画像診断装置に送信される。
【００５１】
（変形例）  
第２実施形態との相違は、撮影開始要求先の放射線医用画像診断装置の優先度と稼動中の放射線医用画像診断装置の優先度とに応じた処理が追加される点にある。
【００５２】
通信インターフェース部１０は、システム制御部１５の制御に従って、単一の電力管理系統内に配置された複数の放射線医用画像診断装置から、撮影開始要求と撮影条件に関する情報と優先度に関するデータとを受信する。なお、複数の放射線医用画像診断装置にそれぞれ対応する複数の優先度に関するデータは、予め記憶部１１に記憶されていてもよい。予め記憶部１１に優先度が記憶されている場合、例えば、一放射線医用画像診断装置の入力部を介した、ユーザ指示に従って、優先度は適宜変更可能である。また、優先度等を変更するための入力部を撮影管理装置が備えてもよい。優先度に関するデータは、放射線医用画像診断装置の優先度ではなく、その撮影や診断等の優先度であってもよい。優先度の高い放射線医用画像診断装置（以下、優先装置と呼ぶ）とは、例えば、病院内における救急で使用される装置である。また、優先度の高い撮影とは、例えば、救急搬送されてきた患者に対する撮影である。
【００５３】
システム制御部１５は、撮影開始要求先の放射線医用画像診断装置が優先装置の場合において、撮影開始要求先の放射線医用画像診断装置が稼動中の放射線医用画像診断装置よりも優先して撮影が実行できるように、放射線医用画像診断装置各々の撮影条件に基づいて、稼動中の放射線医用画像診断装置から優先度の低い放射線医用画像診断装置を特定する。また、システム制御部１５は、撮影開始要求を受信したタイミングで、撮影開始要求先の放射線医用画像診断装置が撮影を開始できるように、撮影開始要求先の放射線医用画像診断装置による撮影タイミングと重なるタイミングで撮影予定の放射線医用画像診断装置を特定する。
【００５４】
推奨撮影条件発生部１６は、システム制御部１５により特定された放射線医用画像診断装置の撮影条件に基づいて、システム制御部１５により特定された放射線医用画像診断装置に対する推奨撮影条件を発生する。推奨撮影条件の発生方法は、上述の通りである。
【００５５】
信号発生部１４は、撮影開始要求先の放射線医用画像診断装置が優先装置である場合において、システム制御部１５により特定された放射線医用画像診断装置に対する条件変更信号を発生する。信号発生部１４により発生された条件変更信号とともに、推奨撮影条件がシステム制御部１５により、通信インターフェース部１０を介して、システム制御部１５により特定された放射線医用画像診断装置に送信される。条件変更信号を受信した放射線医用画像診断装置は、条件変更信号とともに受信した推奨撮影条件に撮影条件を変更し、撮影を継続する。
【００５６】
なお、信号発生部１４は、撮影開始要求先の放射線医用画像診断装置が優先装置である場合において、システム制御部１５により特定された放射線医用画像診断装置に対して、撮影を中断させるための撮影中断信号を発生してもよい。信号発生部１４により発生された撮影中断信号を受信した放射線医用画像診断装置は、撮影を中断する。
【００５７】
図９は、第２実施形態の変形例に係る撮影管理装置の推奨撮影条件発生部１６による処理を説明するための説明図である。
【００５８】
図９（ａ）は、稼動中の放射線医用画像診断装置Ｌの使用電力に関するタイムラインを示した図である。撮影開始要求先の放射線医用画像診断装置Ｌの初期撮影条件に基づいて計算された使用電力はＰＬ１である。図９（ｂ）は、稼動中の放射線医用画像診断装置Ｌの使用電力に関するタイムラインを示した図である。稼動中の放射線医用画像診断装置Ｌの初期撮影条件に基づいて計算された使用電力はＰＭ１である。図９（ｃ）は、撮影開始要求先の放射線医用画像診断装置Ｎの使用電力に関するタイムラインを示した図である。稼動中の放射線医用画像診断装置Ｌの初期撮影条件に基づいて計算された使用電力はＰＮ１である。図９（ｃ）に示すように、第２実施形態の変形例に係る撮影管理装置は、時刻ｔ６に、放射線医用画像診断装置Ｎからの撮影開始要求を受信したものとする。図９（ｄ）は、総電力に関するタイムラインを示した図である。図９（ｄ）に示すように、撮影開始要求先の放射線医用画像診断装置Ｎが、稼動中の放射線医用画像診断装置Ｌの撮影タイミングと一致する撮影タイミングで稼動した場合及び撮影開始要求先の放射線医用画像診断装置Ｎが、稼動中の放射線医用画像診断装置Ｍの撮影タイミングと一致する撮影タイミングで稼動した場合において、総電力は最大許容電力を超えるものとする。また、撮影開始要求先の放射線医用画像診断装置Ｎは、優先装置であるものとする。
【００５９】
計算部１２は、時刻ｔ６に放射線医用画像診断装置Ｎから撮影開始要求と撮影条件に関する情報とを受信すると、時刻ｔ６における稼動中の放射線医用画像診断装置の使用電力に関するタイムライン（図９（ａ）及び図９（ｂ））を参照する。計算部１２は、時刻ｔ６に放射線医用画像診断装置Ｎが稼動した場合の総電力を計算する。比較部１３により、計算された総電力は、最大許容電力に対して比較される。そして、比較部１３により、総電力が最大許容電力を超えると判定される。放射線医用画像診断装置Ｎは優先装置であるため、システム制御部１５により、放射線医用画像診断装置Ｎが撮影を開始できるように、放射線医用画像診断装置Ｎによる撮影タイミングと重なるタイミングで撮影予定の放射線医用画像診断装置が特定される。図９に示すように、放射線医用画像診断装置Ｎによる撮影タイミングと重なるタイミングで撮影予定の放射線医用画像診断装置は、放射線医用画像診断装置Ｍである。すると、推奨撮影条件発生部１６は、放射線医用画像診断装置Ｍの初期撮影条件に基づいて、優先装置による撮影が開始されても、総電力が最大許容電力を超えないための推奨撮影条件を発生する。推奨撮影条件の発生方法は上述の通りである。そして、システム制御部１５の制御に従って、推奨撮影条件が、条件変更信号とともに放射線医用画像診断装置Ｍに送信される。すると、例えば、図９（ｂ）に示すように、時刻ｔ６時から、放射線医用画像診断装置Ｍの使用電力がＰＭ１から、それよりも低いＰＭ２に変更される。図９（ｄ）に示すように、放射線医用画像診断装置Ｍの使用電力が下げられたことにより、総電力が最大許容電力ＰＭＡＸを超えずに、優先装置である放射線医用画像診断装置Ｎによる撮影が実行できる。
【００６０】
図１０は、第２実施形態の変形例に係る撮影管理装置の一連の処理の一例を示すフローチャート図である。図１０のフローチャートでは、図８のステップＳ２３とステップＳ２４との間に、撮影要求先の放射線医用画像診断装置が優先装置であるかの判断及びその判断に応じた処理が追加される。図８のフローチャートとの差分であるステップＳ２３ａ、ステップＳ２３ｂ，及びステップＳ２３ｃについて、その前後の処理とともに説明する。なお、他の処理については、第２実施形態の説明と同様であるため省略する。また、記憶部１１には、単一の電力管理系統内に配置されている複数の放射線医用画像診断装置各々の優先度に関するデータが記憶されているものとする。
【００６１】
（ステップＳ２３）  
システム制御部１５により、記憶部１１に記憶されている単一の電力管理系統の最大許容電力に関するデータが読み出され、比較部１３に送信される。比較部１３により、計算部１２により計算された総電力が最大許容電力に対して比較される。総電力が最大許容電力を超えない場合は、ステップＳ２７に処理が移行される。総電力が最大許容電力を超える場合は、ステップＳ２３ａに処理が移行される。
【００６２】
（ステップＳ２３ａ）  
撮影開始要求先の放射線医用画像診断装置が優先装置である場合において、処理はステップＳ２３ｂに移行される。撮影開始要求先の放射線医用画像診断装置が、優先装置でない場合において、処理はステップＳ２４に移行される。撮影開始要求先の放射線医用画像診断装置が優先装置であるかは、撮影開始要求先の放射線医用画像診断装置と稼動中の放射線医用画像診断装置との優先度に関する情報に基づいて、システム制御部１５により判定される。
【００６３】
（ステップＳ２３ｂ）  
システム制御部１５により、撮影開始要求先の放射線医用画像診断装置と稼動中の放射線医用画像診断装置との撮影条件に関する情報に基づいて、撮影開始要求先の放射線医用画像診断装置による撮影タイミングと重なるタイミングで撮影予定の放射線医用画像診断装置が特定される。
【００６４】
（ステップＳ２３ｃ）  
ステップＳ２３ｂで特定された放射線医用画像診断装置の撮影条件に基づいて、推奨撮影条件発生部１６により、推奨撮影条件が発生される。発生された推奨撮影条件のデータは、条件変更信号とともに、通信インターフェース部１０を介して、ステップＳ２３ｂで特定された放射線医用画像診断装置に送信される。そして、処理はステップＳ２７に移行され、撮影開始要求先の放射線医用画像診断装置には、撮影許可信号が送信される。
【００６５】
以上に述べた第２実施形態に係る撮影管理装置によれば、以下のような効果を得ることができる。  
総電力が最大許容電力を超える場合において、第１実施形態に係る撮影管理装置は、総電力が最大許容電力を超えないための、撮影開始要求先の放射線医用画像診断装置の撮影タイミングを特定することができる。一方、第２実施形態に係る撮影管理装置は、例えば、撮影開始要求先の放射線医用画像診断装置の撮影タイミングが特定できない場合において、総電力が最大許容電力を超えないための、撮影開始要求先の放射線医用画像診断装置に対する推奨撮影条件を発生することができる。撮影開始要求先の放射線医用画像診断装置が、推奨撮影条件を受け入れた場合において、撮影開始要求先の放射線医用画像診断装置による撮影が開始される。一方、推奨撮影条件が受け入れられない場合は、撮影開始要求先の放射線医用画像診断装置による撮影が開始されない。
【００６６】
また、第２実施形態の変形例に係る撮影管理装置は、撮影開始要求先の放射線医用画像診断装置が優先装置であるかを自動的に判定することができる。撮影開始要求先の放射線医用画像診断装置が優先装置である場合において、撮影開始要求先の放射線医用画像診断装置により撮影が実行できるように、放射線医用画像診断装置各々の撮影条件に基づいて、稼動中の放射線医用画像診断装置から、優先度の低い放射線医用画像診断装置、または撮影開始要求先の放射線医用画像診断装置による撮影タイミングと重なるタイミングで撮影予定の放射線医用画像診断装置を特定する。そして、第２実施形態の変形例に係る撮影管理装置は、特定した放射線医用画像診断装置に対して、総電力が最大許容電力を超えないための推奨撮影条件を発生することができる。発生された推奨撮影条件は、条件変更信号とともに、第２実施形態の変形例に係る撮影管理装置から、特定した放射線医用画像診断装置に送信される。また、撮影許可信号が、第２実施形態の変形例に係る撮影管理装置から、撮影開始要求先の放射線医用画像診断装置に送信される。
【００６７】
したがって、第２実施形態に係る撮影管理装置によれば、複数の放射線医用画像診断装置を備える病院等において、大型の電源設備を導入することが必須ではなく、かつ従来と同等以上の効率で、複数の放射線医用画像診断装置で撮影が実施できるために、複数の放射線医用画像診断装置の撮影動作を管理することができる。
【００６８】
（第３実施形態）  
第１及び第２実施形態において、撮影管理装置は、複数の放射線医用画像診断装置に対して、独立した装置として説明した。しかしながら、撮影管理装置の機能は、放射線医用画像診断装置に組み込まれても良い。そこで、第３実施形態では、撮影管理装置の機能が組み込まれたＸ線診断装置について図を参照して説明する。なお、第３の実施形態では、第１及び第２実施形態と重複する構成要素及び機能の説明は必要な場合にのみ行い、主に第１及び第２実施形態との差分について説明する。
【００６９】
図１１は、第３実施形態に係るＸ線診断装置１の構成を示すブロック図である。本Ｘ線診断装置１は、寝台３１と、Ｘ線発生部３２と、高電圧発生部３３と、Ｘ線検出部３４と、Ｃ形アーム３５と、Ｃ形アーム支持機構３６と、通信インターフェース部１０、記憶部１１、計算部１２、比較部１３、システム制御部１５、推奨撮影条件発生部１６、前処理部１７、画像発生部１８、画像処理部１９、入力部２１、及び表示部２２を有する。
【００７０】
図１１に示すように、本Ｘ線診断装置１は、放射線医用画像診断装置Ａ及び放射線医用画像診断装置Ｂと、ＬＡＮや公衆電子通信回線等のネットワークを介して、通信可能に接続されている。本Ｘ線診断装置１は、放射線医用画像診断装置Ａ及び放射線医用画像診断装置Ｂとともに、単一の電力管理系統内に配置されている。単一の電力管理系統内に配置されたこれらの装置各々の駆動電力は、共通の電源設備から供給される。本Ｘ線診断装置１は、本Ｘ線診断装置１による撮影が開始されたことにより、総電力が最大許容電力を超えないために、撮影タイミングを、また、本Ｘ線診断装置１は、本Ｘ線診断装置１が稼動したことにより、総電力が最大許容電力を超えないように、推奨撮影条件を発生する。
【００７１】
Ｃ形アーム支持機構３６は、Ｃ形アーム３５を回転自在に支持する。Ｃ形アーム支持機構３６は、複数の回転軸を有する。Ｃ形アーム３５は、Ｃ形アーム駆動部（図示しない）が、システム制御部１５の制御に従って駆動されることにより、複数の回転軸まわりに回転される。Ｃ形アーム３５は、その一端にＸ線発生部３２を保持する。Ｘ線発生部３２は、Ｘ線を発生する真空管である。Ｘ線発生部３２は、高電圧発生部３３からの高電圧（管電圧）の印加及び管電流の供給を受けて、Ｘ線を発生する。Ｘ線発生部３２は、発生したＸ線を放射するための放射窓を有する。Ｘ線発生部３２の放射窓には、Ｘ線絞り器が取り付けられる。Ｘ線絞り器は、Ｘ線検出部３４の検出面上のＸ線照射野を制限するための線錐制限器である。Ｘ線絞り器は、被検体への不要な被曝の低減等のために設定される。Ｃ形アーム３５は、その他端に、Ｘ線発生部３２と対向するように、Ｘ線検出部３４を保持する。Ｘ線検出部３４は、複数のＸ線検出素子を有する。複数のＸ線検出素子は、２次元のアレイ状に配列される。２次元のアレイ状の検出器はＦＰＤ（Ｆｌａｔ  Ｐａｎｅｌ  Ｄｉｓｐｌａｙ：平面検出器）と呼ばれる。ＦＰＤの各素子は、Ｘ線発生部３２から放射され被検体を透過したＸ線を検出する。ＦＰＤの各素子は、検出したＸ線強度に対応した電気信号を出力する。
【００７２】
寝台３１は、被検体が載置される天板（図示しない）を移動可能に支持する。寝台３１は、寝台駆動部（図示しない）が、システム制御部１５の制御に従って駆動することにより、天板を移動させる。
【００７３】
前処理部１７は、Ｘ線検出部３４から出力された電気信号に対して前処理を実行する。前処理とは、例えば、各種補正処理、増幅処理、及びＡ／Ｄ変換処理等である。また、前処理部１７は、推奨撮影条件下で収集されたＸ線画像に対して、初期撮影条件と推奨撮影条件との間の条件の違いに応じた前処理を自動的に実行する。例えば、推奨撮影条件における管電圧が初期撮影条件の管電圧と異なる場合、Ｘ線の線質が変換する。そのため、前処理部１７は、その管電圧の差分に応じた線質補正を実行する。
【００７４】
画像発生部１８は、前処理を実行された電気信号に基づいて、Ｘ線画像のデータを発生する。Ｘ線画像を構成する各画素に割り付けられた画素値は、Ｘ線の透過経路上の物質に関するＸ線減弱係数に応じた値等である。
【００７５】
画像処理部１９は、画像発生部１８により発生されたＸ線画像のデータに対して、画像処理を実行する。画像処理とは、Ｘ線画像のコントラストを操作するための階調変換等である。また、画像処理部１９は、推奨撮影条件下で収集されたＸ線画像に対して、初期撮影条件と推奨撮影条件との間の条件の違いに応じた画像処理を自動的に実行する。例えば、推奨撮影条件の管電圧が初期撮影条件の管電圧と異なる場合、推奨撮影条件下で収集された場合のＸ線画像の画像コントラストは、初期撮影条件下で収集された場合のＸ線画像の画像コントラストよりも悪化する。そのため、画像処理部１９は、その管電圧の差分に応じた階調補正等を実行する。
【００７６】
通信インターフェース部１０は、システム制御部１５の制御に従って、本Ｘ線診断装置１とネットワークを介して接続されている複数の放射線医用画像診断装置との間におけるデータの送受信処理を実行する。具体的には、通信インターフェース部１０は、システム制御部１５の制御に従って、放射線医用画像診断装置Ａ及び放射線医用画像診断装置Ｂから、撮影条件に関する情報を受信する。
【００７７】
記憶部１１は、半導体記憶素子であるＦｌａｓｈ  ＳＳＤ（Ｓｏｌｉｄ  Ｓｔａｔｅ  Ｄｉｓｋ）などの半導体記憶装置、ＨＤＤ（Ｈａｒｄ  Ｄｉｓｋ  Ｄｒｉｖｅ）等である。記憶部１１は、画像発生部１８により発生されたＸ線画像のデータ等を記憶する。
【００７８】
入力部２１は、例えば、マウスやキーボードなどの入力デバイスを有している。なお、入力デバイスには、トラックボール、タッチパネル、及びスイッチ等が用いられてもよい。入力部２１は、本Ｘ線診断装置１に対して、ユーザによる指示情報を入力するための、インターフェースとして機能する。指示情報とは、例えば、撮影条件である。撮影条件は、管電圧、管電流、パルス幅、パルスレート、及び撮影枚数等である。入力部２１を介したユーザ指示に従って、撮影条件が設定される。また、入力部２１は、撮影を開始するための撮影開始スイッチ等を有する。
【００７９】
推奨撮影条件発生部１６は、入力部２１を介してユーザに入力された撮影条件に基づいて、推奨撮影条件を発生する。推奨撮影条件発生部１６の詳細説明は前述の通りである。
【００８０】
表示部２２は、画像発生部１８で発生されたＸ線画像のデータを画像として表示する。また、推奨撮影条件発生部１６により発生された推奨撮影条件を表示する。
【００８１】
計算部１２は、ユーザ指示に従って設定された初期撮影条件のデータと稼動中の放射線医用画像診断装置に関する撮影条件のデータとに基づいて、総電力を計算する。比較部１３は、計算部１２で計算された総電力を、最大許容電力に対して比較する。比較部１３及び計算部１２で計算された総電力が最大許容電力を超える場合において、総電力が最大許容電力を超えないための、本Ｘ線診断装置１の撮影タイミング特定処理を実行する。
【００８２】
システム制御部１５は、入力部２１から入力された情報を受け取り、一時的にメモリ回路に入力情報を記憶する。そして、システム制御部１５は、この入力情報に基づいて本Ｘ線診断装置１の各部を制御する。
【００８３】
システム制御部１５は、例えば、以下のような制御を行う。システム制御部１５は、ユーザ指示に従って設定された撮影条件を内部メモリに格納し、この格納された撮影条件に基づいて、天板の位置、Ｃ形アーム３５（Ｘ線発生部３２及びＸ線検出部３４）の位置、及びＸ線の曝射タイミング等を決定する。そして、決定した条件で撮影動作が実行されるために、システム制御部１５は、高電圧発生部３３、Ｘ線検出部３４、図示しない寝台駆動部及びＣ形アーム駆動部を制御する。こうして、ユーザの所望する位置から被検体の関心領域に対してＸ線が照射され、被検体を透過したＸ線がＸ線検出部３４により検出される。そして、Ｘ線検出部３４によりＸ線の検出に応じて発生された電気信号に基づいて、画像発生部１８により、関心領域に関するＸ線画像のデータが発生される。  
図１２は、第３実施形態に係るＸ線診断装置の一連の処理の一例を示すフローチャート図である。
【００８４】
（ステップＳ３１）  
入力部２１を介したユーザ指示に従って、撮影条件（初期撮影条件）が設定される。
【００８５】
（ステップＳ３２）  
撮影開始スイッチがユーザにより押されたのを契機に、システム制御部１５による制御に従って、通信インターフェース部１０により、単一の電力管理系統内の稼動中の放射線医用画像診断装置に関する撮影条件のデータが受信される。
【００８６】
（ステップＳ３３）  
初期撮影条件のデータと稼動中の放射線医用画像診断装置に関する撮影条件のデータとに基づいて、計算部１２により総電力が計算される。
【００８７】
（ステップＳ３４）  
システム制御部１５により、記憶部１１に記憶されている最大許容電力に関するデータが読み出され、比較部１３に出力される。比較部１３により、計算部１２により計算された総電力が最大許容電力に対して比較される。総電力が最大許容電力を超えない場合は、ステップＳ３９に処理が移行される。総電力が最大許容電力を超える場合は、ステップＳ３５に処理が移行される。
【００８８】
（ステップＳ３５）  
計算部１２及び比較部１３により、撮影タイミング特定処理が実行される。
【００８９】
（ステップＳ３６）  
撮影タイミング特定処理の結果、所定の時間内で、撮影タイミングを特定されなかった場合は、ステップＳ３７に処理が移行される。撮影開始スイッチがユーザにより押された後、所定の期間内で、撮影タイミングが特定された場合は、撮影タイミングの情報が比較部１３からシステム制御部１５に出力され、ステップＳ３９に処理が移行される。
【００９０】
（ステップＳ３７）  
推奨撮影条件発生部１６により、推奨撮影条件が発生される。発生された推奨撮影条件が表示部２２に表示される。
【００９１】
（ステップＳ３８）  
ユーザにより推奨撮影条件が確認される。そして、ユーザにより推奨撮影条件による撮影が許可された場合は、ステップＳ３９に処理が移行される。ユーザにより推奨撮影条件による撮影が許可されなかった場合は、ステップＳ３５に処理が移行され、再度撮影タイミング特定処理が実行される。なお、推奨撮影条件発生部１６により、推奨撮影条件が発生された場合において、自動的に推奨撮影条件下で撮影が開始されてもよい。自動的に推奨撮影条件下で撮影が開始されるか、ユーザによる入力指示に従うかは、ユーザ指示に従って、予め設定される。
【００９２】
（ステップＳ３９）  
システム制御部１５による制御に従って、Ｘ線撮影が実行される。Ｘ線検出部３４から出力された電気信号に対して前処理部１７により前処理が実行される。そして、画像発生部１８により、前処理を実行された電気信号に基づいて、Ｘ線画像のデータが発生される。発生されたＸ線画像のデータが記憶部１１に記憶される。なお、推奨撮影条件下でＸ線撮影が実行された場合において、前処理部１７により、初期撮影条件と推奨撮影条件との間の条件の違いに応じた前処理が自動的に実行されてもよい。
【００９３】
（ステップＳ４０）  
ユーザ指示に従って、画像処理部１９によりＸ線画像データに対して画像処理が実行される。また、推奨撮影条件下で収集されたＸ線画像に対して、画像処理部１９により、初期撮影条件と推奨撮影条件との間の条件の違いに応じた画像処理が実行される。
【００９４】
（ステップＳ４１）  
表示部２２によりＸ線画像が表示される。
【００９５】
以上に述べた第３実施形態に係るＸ線診断装置１によれば、以下のような効果を得ることができる。  
第３実施形態に係るＸ線診断装置１は、撮影開始スイッチがユーザにより押されたのを契機に、第３実施形態に係るＸ線診断装置１が稼動した場合の総電力が最大許容電力を超えるかを判定することができる。総電力が最大許容電力を超えてしまう場合において、第３実施形態に係るＸ線診断装置１は、総電力が最大許容電力を超えないタイミングで自動的に撮影を開始することができる。
【００９６】
また、撮影開始スイッチがユーザにより押されてから、所定の期間内で、総電力が最大許容電力を超えない撮影タイミングがない場合において、総電力が最大許容電力を超えないための、推奨撮影条件を発生することができる。ユーザにより推奨撮影条件による撮影が許可された場合は、他の装置の使用状態にかかわらず、撮影を開始することができる。また、推奨撮影条件下で収集されたＣＴ画像に対して、初期撮影条件と推奨撮影条件との間の条件の違いに応じた前処理及び画像処理を実行することができる。
【００９７】
したがって、第３実施形態に係るＸ線診断装置１によれば、複数の放射線医用画像診断装置を備える病院等において、大型の電源設備を導入することが必須ではなく、かつ従来と同等以上の効率でＸ線撮影を実行することができる。
【００９８】
（第４実施形態）  
第３実施形態では、撮影管理装置の機能が組み込まれたＸ線診断装置について説明した。しかしながら、撮影管理装置の機能は、他の放射線医用画像診断装置に組み込まれても良い。第４実施形態では、撮影管理装置の機能が組み込まれた他の放射線医用画像診断装置として、Ｘ線ＣＴ装置（以下、本Ｘ線ＣＴ装置と呼ぶ）を例に、図を参照して説明する。なお、第４の実施形態では、第１、第２、及び第３実施形態との差分について説明する。
【００９９】
図１３は、第４実施形態に係るＸ線ＣＴ装置２の構成を示すブロック図である。本Ｘ線ＣＴ装置２は、ＣＴガントリ３、通信インターフェース部１０、記憶部１１、計算部１２、比較部１３、システム制御部１５、推奨撮影条件発生部１６、前処理部１７、画像処理部１９、再構成部２０、入力部２１、及び表示部２２を有する。
【０１００】
図１１に示すように、本Ｘ線ＣＴ装置２は、放射線医用画像診断装置Ａ及び放射線医用画像診断装置ＢとＬＡＮや公衆電子通信回線等のネットワークを介して、通信可能に接続されている。本Ｘ線ＣＴ装置、放射線医用画像診断装置Ａ、及び放射線医用画像診断装置Ｂは、単一の電力管理系統内に配置されている。単一の電力管理系統内に配置された複数の放射線医用画像診断装置各々の駆動電力は、共通の電源設備から供給される。本Ｘ線ＣＴ装置２は、本Ｘ線ＣＴ装置２が稼動したことにより、総電力が最大許容電力を超えないように、撮影タイミングを計る。また、本Ｘ線ＣＴ装置２は、本Ｘ線ＣＴ装置２が稼動したことにより、総電力が最大許容電力を超えないように、Ｘ線スキャン条件を調整する。
【０１０１】
ＣＴガントリ３は、寝台３１、Ｘ線発生部３２、高電圧発生部３３、及びＸ線検出部３４を有する。
【０１０２】
寝台３１は、被検体が載置される天板（図示しない）を移動可能に支持する。寝台３１は、寝台駆動部（図示しない）が、システム制御部１５の制御に従って駆動することにより、天板を診断用開口（図示しない）内に移動させる。
【０１０３】
Ｘ線発生部３２は、高電圧発生部３３からの管電圧の印加および管電流の供給を受けて、Ｘ線の焦点からＸ線を放射する。
【０１０４】
高電圧発生部３３は、システム制御部１５による制御に従って、Ｘ線発生部３２に印加する管電圧と、Ｘ線発生部３２に供給する管電流とを発生する。
【０１０５】
Ｘ線検出部３４は、Ｘ線発生部３２から発生され被検体を透過したＸ線を検出する。Ｘ線検出部３４はＸ線の検出に応じて電気信号を発生する。
【０１０６】
Ｘ線発生部３２とＸ線検出部３４とは、天板を挟んで対向して配置される。Ｘ線発生部３２とＸ線検出部３４とは、ガントリ駆動部（図示しない）が、システム制御部１５の制御に従って駆動されることにより、天板の周りを回転する。Ｘ線発生部３２とＸ線検出部３４とは、システム制御部１５による制御に従って、天板周りを回転しながらＸ線発生とＸ線検出とをそれぞれ行う。
【０１０７】
前処理部１７は、Ｘ線検出部３４からの電気信号に対して、前処理を実行する。前処理部１７は、前処理後の電気信号に基づいて、投影データ（以下、ＣＴ投影データと呼ぶ）を発生する。前処理とは、例えば、対数変換や感度補正、ビームハードニング補正等である。
【０１０８】
再構成部２０は、ＣＴ投影データに基づいて、所定の断面に関するＣＴ画像を再構成する。再構成処理には、例えば、フェルドカンプ再構成法が適用される。所定の断面とは、例えば、ユーザから指定された断面等である。ＣＴ画像を構成する各画素に割り付けられた画素値は、Ｘ線の透過経路上の物質に関するＸ線減弱係数に応じたＣＴ値を有する。
【０１０９】
記憶部１１は、半導体記憶素子であるＦｌａｓｈ  ＳＳＤ（Ｓｏｌｉｄ  Ｓｔａｔｅ  Ｄｉｓｋ）などの半導体記憶装置、ＨＤＤ（Ｈａｒｄ  Ｄｉｓｋ  Ｄｒｉｖｅ）等である。記憶部１１は、前処理部１７により発生されたＣＴ投影データ及び再構成部２０により再構成されたＣＴ画像のデータ等を記憶する。
【０１１０】
画像処理部１９は、再構成部２０により再構成されたＣＴ画像に対して、画像処理を実行する。画像処理とは、ＣＴ画像のコントラストを操作するための階調変換及び特定の角度に対応するＣＴ画像を、特定の角度に隣り合う２つの角度で撮影されたＣＴ画像から発生するための画像補間処理等である。画像処理部１９は、入力部２１を介したユーザ指示に従って、画像処理を実行する。また、推奨スキャン条件下で収集されたＣＴ画像に対して、初期スキャン条件と推奨スキャン条件との間の条件の違いに応じた画像処理を自動的に実行する。例えば、初期撮影条件下で収集されるはずであった角度に対応するＣＴ画像が、推奨スキャン条件下では収集されなかった場合において、画像処理部１９は、画像補間処理を自動的に実行する。
【０１１１】
入力部２１は、例えば、マウスやキーボードなどの入力デバイスを有している。なお、入力デバイスには、トラックボール、タッチパネル、及びスイッチ等が用いられてもよい。入力部２１は、本Ｘ線ＣＴ装置２に対して、ユーザによる指示情報を入力するための、インターフェースとして機能する。指示情報とは、例えば、スキャン条件である。スキャン条件は、管電圧、管電流、照射時間、スキャン速度、撮影スライス厚、画像スライス厚、及び再構成間隔等である。また、入力部２１は、撮影を開始するためのスキャン開始スイッチ等を有する。
【０１１２】
推奨撮影条件発生部１６は、入力部２１を介してユーザに入力されたスキャン条件に基づいて、推奨スキャン条件を発生する。推奨撮影条件発生部１６の詳細説明は前述の通りである。
【０１１３】
表示部２２は、再構成部２０で再構成されたＣＴ画像を表示する。また、推奨撮影条件発生部１６により発生された推奨スキャン条件を表示する。
【０１１４】
計算部１２は、入力部２１を介してユーザにより設定された初期スキャン条件のデータと稼動中の放射線医用画像診断装置に関する撮影条件のデータとに基づいて、総電力を計算する。比較部１３は、計算部１２で計算された総電力を、最大許容電力に対して比較する。比較部１３及び計算部１２で計算された総電力が最大許容電力を超える場合において、総電力が最大許容電力を超えないための、本Ｘ線診断装置１の撮影タイミング特定処理を実行する。
【０１１５】
システム制御部１５は、入力部２１から入力された情報を受け取り、一時的にメモリ回路に入力情報を記憶する。そして、システム制御部１５は、この入力情報に基づいて本Ｘ線ＣＴ装置２の各部を制御する。
【０１１６】
システム制御部１５により、例えば、以下のような制御が実行されることで、ＣＴ投影データが収集される。システム制御部１５は、入力部２１を介してユーザにより設定されたスキャン条件を内部メモリに格納し、この格納されたスキャン条件に基づいて、診断用開口内への被検体の送り量、送り速度、ＣＴガントリ３（Ｘ線発生部３２及びＸ線検出部３４）の回転速度、回転ピッチ、及びＸ線の曝射タイミング等を決定する。そして、決定した条件で撮影動作が実行されるために、システム制御部１５は、高電圧発生部３３、Ｘ線検出部３４、図示しない寝台駆動部及びガントリ駆動部を制御する。こうして、被検体の所望の撮影領域に対して多方向から照射され、被検体の撮影領域を透過したＸ線がＸ線検出部３４により検出される。そして、Ｘ線検出部３４によりＸ線の検出に応じて発生された電気信号に基づいて、前処理部１７により、ＣＴ投影データが発生される。  
第４実施形態に係るＸ線ＣＴ装置２による一連の処理のフローは、第３実施形態に係るＸ線診断装置１による一連の処理のフローとほぼ同様である。第４実施形態に係るＸ線ＣＴ装置２による一連の処理のフローにおいて、第３実施形態に係るＸ線診断装置１による一連の処理のフローと異なる点について、図１２を参照して以下説明する。
【０１１７】
（ステップＳ３１）  
入力部２１を介したユーザ指示に従って、スキャン条件（初期スキャン条件）が設定される。
【０１１８】
（ステップＳ３９）  
システム制御部１５による制御に従って、スキャンが実行される。Ｘ線検出部３４から出力された電気信号に対して前処理部１７により前処理が実行されることでＣＴ投影データが発生される。そして、再構成部２０により、ＣＴ投影データに基づいてＣＴ画像が再構成される。発生されたＣＴ画像のデータが記憶部１１に記憶される。なお、推奨スキャン条件下でスキャンが実行された場合において、前処理部１７により、初期スキャン条件と推奨スキャン条件との間の条件の違いに応じた前処理が自動的に実行されてもよい。
【０１１９】
（ステップＳ４０）  
ユーザ指示に従って、画像処理部１９によりＣＴ画像データに対して画像処理が実行される。また、推奨スキャン条件下で収集されたＣＴ画像に対して、画像処理部１９により、初期スキャン条件と推奨スキャン条件との間の条件の違いに応じた画像処理が実行される。
【０１２０】
（ステップＳ４１）  
表示部２２によりＣＴ画像が表示される。
【０１２１】
以上に述べた第４実施形態に係るＸ線ＣＴ装置２によれば、以下のような効果を得ることができる。  
第４実施形態に係るＸ線ＣＴ装置２は、スキャン開始スイッチがユーザにより押されたのを契機に、第４実施形態に係るＸ線ＣＴ装置２が稼動した場合の総電力が最大許容電力を超えるかを判定することができる。総電力が最大許容電力を超えてしまう場合において、第４実施形態に係るＸ線ＣＴ装置２は、総電力が最大許容電力を超えないタイミングで自動的に撮影を開始することができる。
【０１２２】
また、スキャン開始スイッチがユーザにより押されてから、所定の期間内で、総電力が最大許容電力を超えない撮影タイミングがない場合において、総電力が最大許容電力を超えないための、推奨スキャン条件を発生することができる。ユーザにより推奨スキャン条件によるスキャンが許可された場合は、他の装置の使用状態にかかわらず、スキャンを開始することができる。また、推奨スキャン条件下で収集されたＣＴ画像に対して、初期スキャン条件と推奨スキャン条件との間の条件の違いに応じた前処理及び画像処理を実行することができる。
【０１２３】
したがって、第４実施形態に係るＸ線ＣＴ装置２によれば、複数の放射線医用画像診断装置を備える病院等において、大型の電源設備を導入することが必須ではなく、かつ従来と同等以上の効率でＸ線撮影を実行することができる。
【０１２４】
本発明のいくつかの実施形態及びその変形例を説明したが、これらは、例として提示したものであり、発明の範囲を限定することは意図していない。これら実施形態は、その他の様々な形態で実施されることが可能であり、発明の趣旨を逸脱しない範囲で、種々の省略、置き換え、変更を行なうことができる。これら実施形態やその変形は、発明の範囲や趣旨に含まれると同様に、特許請求の範囲に記載された発明とその均等の範囲に含まれるものある。
【符号の説明】
【０１２５】
１…Ｘ線診断装置、２…Ｘ線ＣＴ装置、３…ＣＴガントリ、１０…通信インターフェース部、１１…記憶部、１２…計算部、１３…比較部、１４…信号発生部、１５…システム制御部、１６…推奨撮影条件発生部、１７…前処理部、１８…画像発生部、１９…画像処理部、２０…再構成部、２１…入力部、２２…表示部、３１…寝台、３２…Ｘ線発生部、３３…高電圧発生部、３４…Ｘ線検出部、３５…Ｃ形アーム、３６…Ｃ形アーム支持機構
【図１】
2014200318.tif 000003
【図２】
2014200318.tif 000004
【図３】
2014200318.tif 000005
【図４】
2014200318.tif 000006
【図５】
2014200318.tif 000007
【図６】
2014200318.tif 000008
【図７】
2014200318.tif 000009
【図８】
2014200318.tif 000010
【図９】
2014200318.tif 000011
【図１０】
2014200318.tif 000012
【図１１】
2014200318.tif 000013
【図１２】
2014200318.tif 000014
【図１３】
2014200318.tif 000015